(57)【要約】【課題】本発明では、耕耘作業や畝立作業や移動走行への作業形態変更が一人で容易に行える小型管理作業機とすることを課題とする。【解決手段】機体の下部に設けた作業軸（６）に耕耘爪（５）を装着し、機体後部のヒッチ（９）に抵抗棒（１６）や畝立器（２０）或いは車輪（１８）を装着する管理機において、ヒッチ（９）の前側に畝立器（２０）を降下作業位置と上昇非作業位置に回転支持する畝立器支持部（９ａ）を設け、一端に車輪（１８）を設け他端の棒状部を地面に差し込む抵抗棒（１６）を上下反転して支持可能にする抵抗棒支持部（９ｂ）をヒッチ（９）の前記畝立器支持部（９ａ）の後側に設けたことを特徴とする管理機とする。【選択図】図１０
2014143978.tif 000002
【特許請求の範囲】
【請求項１】
機体の下部に設けた作業軸（６）に耕耘爪（５）を設け、機体後部にヒッチ（９）を設けた管理機において、
ヒッチ（９）に畝立器（２０）を降下作業位置と上昇非作業位置に回転支持する畝立器支持部（９ａ）と、一端に車輪（１８）を取り付け他端の棒状部を地面に差し込む抵抗棒（１６）を上下反転して支持可能にする抵抗棒支持部（９ｂ）を設け、抵抗棒支持部（９ｂ）を前記畝立器支持部（９ａ）の後側に設けたことを特徴とする管理機。
【請求項２】
抵抗棒支持部（９ｂ）を縦方向の支持パイプ（１１）で構成し、畝立器（２０）を畝立器支持部（９ａ）へ上昇非作業位置に装着したままで前記支持パイプ（１１）に抵抗棒（１６）を上下差し換えて取付可能にしたことを特徴とする請求項１に記載の管理機。
【請求項３】
畝立器（２０）の畝立器取付アーム（２１）を、ヒッチ（９）の畝立器支持部（９ａ）に上下回動及びスライドで畝立器（２０）を降下作業位置と上昇非作業位置に変更可能にしたことを特徴とする請求項１或いは請求項２のいずれか１項に記載の管理機。
【請求項４】
畝立器取付アーム（２１）は板体（２１ａ），（２１ｂ）でヒッチ（９）を挟んで上下回動可能に畝立器支持部（９ａ）に枢着した状態で降下作業位置と上昇非作業位置に変更可能にしたことを特徴とする請求項１から請求項３のいずれか１項に記載の管理機。
【請求項５】
抵抗棒部（１６ａ）と車輪取付け部（１６ｂ）を連結部（１６ｃ）で連結して軸方向を前後にずらして抵抗棒（１６）を構成し、抵抗棒部（１６ａ）を使用状態にした時の抵抗棒部（１６ａ）と耕耘爪（５）との距離を、車輪（１８）を使用状態にした時の車輪（１８）と抵抗棒（１６）との距離より長くすることを特徴とする請求項１から請求項４のいずれか１項に記載の管理機。
【発明の詳細な説明】
【技術分野】
【０００１】
本発明は、機体の下部に設けた作業軸に耕耘爪を装着し、機体後部のヒッチに抵抗棒や畝立器或いは尾輪を装着して耕耘作業や畝立作業或いは移動走行を行える管理機に関する。
【背景技術】
【０００２】
例えば、特開２０１２−９０５３６号公報に管理機が記載されている。
この管理機は、機体後部のヒッチ部に前後方向の回転支持部が設けられ、この回転支持部に回転フレームが回転・固定可能に装着され、回転フレームに抵抗棒と畝立器と尾輪が一体的に組み付けられて、回転支持部を中心に回転フレームを回転固定して、抵抗棒を使用した耕耘作業や畝立器を使用した畝立作業や尾輪を使用した移動走行が行えるようにしている。
【先行技術文献】
【特許文献】
【０００３】
【特許文献１】特開２０１２−９０５３６号公報
【発明の概要】
【発明が解決しようとする課題】
【０００４】
前記の管理機は、回転フレームを回転・固定するだけで耕耘作業や畝立作業或いは移動走行を行えるようになるために、切換操作が簡単なようであるが、実際には抵抗棒と畝立器と尾輪を一体的に装着した回転フレームが重く、作業者が一人で切換えを行うには、片手で回転フレームを持ちながら他方の手で回転フレームを回転支持部に固定する作業になって、回転作業中に手を滑らせて畝立器を作業者の足に落とす危険性がある。
【０００５】
そこで、本発明では、耕耘作業や畝立作業や移動走行への作業形態変更が一人で容易に行える管理機とすることを課題とする。
【課題を解決するための手段】
【０００６】
上記本発明の課題は、次の技術手段により解決される。
請求項１に記載の発明は、機体の下部に設けた作業軸（６）に耕耘爪（５）を設け、機体後部にヒッチ（９）を設けた管理機において、ヒッチ（９）に畝立器（２０）を降下作業位置と上昇非作業位置に回転支持する畝立器支持部（９ａ）と、一端に車輪（１８）を取り付け他端の棒状部を地面に差し込む抵抗棒（１６）を上下反転して支持可能にする抵抗棒支持部（９ｂ）を設け、抵抗棒支持部（９ｂ）を前記畝立器支持部（９ａ）の後側に設けたことを特徴とする管理機とする。
【０００７】
請求項２に記載の発明は、抵抗棒支持部（９ｂ）を縦方向の支持パイプ（１１）で構成し、畝立器（２０）を畝立器支持部（９ａ）へ上昇非作業位置に装着したままで前記支持パイプ（１１）に抵抗棒（１６）を上下差し換えて取付可能にしたことを特徴とする請求項１に記載の管理機とする。
【０００８】
請求項３に記載の発明は、畝立器（２０）の畝立器取付アーム（２１）を、ヒッチ（９）の畝立器支持部（９ａ）に上下回動及びスライドで畝立器（２０）を降下作業位置と上昇非作業位置に変更可能にしたことを特徴とする請求項１或いは請求項２のいずれか１項に記載の管理機とする。
【０００９】
請求項４に記載の発明は、畝立器取付アーム（２１）は板体（２１ａ），（２１ｂ）でヒッチ（９）を挟んで上下回動可能に畝立器支持部（９ａ）に枢着した状態で降下作業位置と上昇非作業位置に変更可能にしたことを特徴とする請求項１から請求項３のいずれか１項に記載の管理機とする。
【００１０】
請求項５に記載の発明は、抵抗棒部（１６ａ）と車輪取付け部（１６ｂ）を連結部（１６ｃ）で連結して軸方向を前後にずらして抵抗棒（１６）を構成し、抵抗棒部（１６ａ）を使用状態にした時の抵抗棒部（１６ａ）と耕耘爪（５）との距離を、車輪（１８）を使用状態にした時の車輪（１８）と抵抗棒（１６）との距離より長くすることを特徴とする請求項１から請求項４のいずれか１項に記載の管理機とする。
【発明の効果】
【００１１】
請求項１に記載の発明で、畝立器２０の降下作業位置と上昇非作業位置の切換えと、抵抗棒１６の一端の車輪１８を接地する状態と他端の棒状部を地面に差し込んで使用する切換えが、畝立器２０と抵抗棒１６を個別に操作して行えるので、耕耘作業状態と畝立作業状態と移動走行状態の切換えが一人の作業者で容易に行える。
【００１２】
請求項２に記載の発明で、請求項１の効果に加えて、畝立器２０を上昇非作業位置にしたままで、抵抗棒１６を上下に差し換えるだけの単純作業で耕耘作業状態と移動走行状態に切り換えられる。
【００１３】
請求項３に記載の発明で、請求項１或いは請求項２の効果に加えて、畝立器２０の降下作業位置と上昇非作業位置の切換えを作業者が容易に行える。
請求項４に記載の発明で、請求項１から請求項３のいずれか１項の効果に加えて、畝立器２０の降下作業位置と上昇非作業位置の切換えが回転操作で容易である。
【００１４】
請求項５に記載の発明で、請求項１から請求項４のいずれか１項の効果に加えて、耕耘作業時には耕耘爪５から比較的離れた場所で抵抗棒部１６ａが圃場に挿入されることで安定した耕耘作業が行え、車輪１８を使用した移動時には車輪１８が耕耘爪５に比較的接近した位置で接地するため移動操作を軽く行える。
【図面の簡単な説明】
【００１５】
【図１】管理機の左側面図である。
【図２】管理機のヒッチの左側面図である。
【図３】ヒッチに畝立器を非作業状態に取り付けた左側面図である。
【図４】ヒッチに畝立器を作業状態に取り付けた左側面図である。
【図５】畝立器の正面図である。
【図６】畝立器の側面図である。
【図７】畝立器の上方斜視図である。
【図８】畝立器の側方斜視図である。
【図９】畝立器の上方斜視図である。
【図１０】耕耘作業状態の左側面図である。
【図１１】移動走行状態の左側面図である。
【図１２】畝立作業状態の左側面図である。
【発明を実施するための形態】
【００１６】
以下、本発明の実施形態を歩行用管理機を用いて説明する。なお、本明細書において管理機の前進方向に向かって左右方向をそれぞれ左、右といい、前進方向を前、後進方向を後という。
【００１７】
まず、車体フレーム１は、前部にエンジン２を搭載し、その後方にミッションケース３と後部フレーム８を連結して、エンジン２とミッションケース３の左側面に設けるエンジン出力軸とミッション入力軸をベルト伝動機構４によって動力伝動可能に連結して構成している。そして、ベルト伝動機構４には、テンションクラッチ２４が設けられ、後述するハンドルアーム１４のグリップ部１４ａに設けたクラッチレバー２２によって入・切操作可能に構成している。
【００１８】
ミッションケース３の右側面には車体フレーム１の下方に向けて伝動ケース７を取り付け、その伝動ケース７の下部で左右方向へ作業軸６を突出させて、内部のチェン伝動でミッションケース３の出力軸回転を作業軸６に伝動している。作業軸６には耕耘爪５を装着する。
【００１９】
車体フレーム１の後端の後部フレーム８に後上方へ向けて下部ハンドル杆１０を取り付けると共にヒッチ９を後方へ向けて取り付けている。
後上方へ立ち上がる下部ハンドル杆１０の上端には平面視で後方に向かって左右にハの字状に広がるハンドルアーム１４をノブ１３で回動固定可能に取り付け、グリップ部１４ａの地上高を作業者の好みに調整できるようにすると共に、ハンドルアーム１４をノブ１３の部分で下部ハンドル杆１０から下方へ折り曲げてグリップ部１４ａの先端と耕耘爪５でヒッチ９に取り付けた車輪１８を浮かせて支持して機体を倒れないように出来るようにしている。
【００２０】
ヒッチ９は、図２に示す如く、後部フレーム８から縦方向の支持パイプ１１を左右から挟み込む板体９ｃ，９ｃで構成し、支持パイプ１１を貫通して上下二箇所の調整穴９ｂ１，９ｂ２を設けて抵抗棒支持部９ｂとし、板体９ｃ，９ｃに左右側方に突出する係止ピン９ａ１と板体９ｃ，９ｃを貫通する二箇所の係止穴９ａ２，９ａ３を設けて畝立器支持部９ａとしている。
【００２１】
抵抗棒１６は、図１１に示す如く、耕耘作業時に地面に挿入する抵抗棒部１６ａと車輪１８を取り付ける車輪取付け部１６ｂを斜め連結部１６ｃで繋いだ一本の棒状体で、抵抗棒部１６ａに取付穴１６ａ１を設け、車輪取付け部１６ｂにも取付穴１６ｂ１を設けている。また、抵抗棒部１６ａ側には、斜め連結部１６ｃから左右に張り出した車軸アーム１７，１７の先端に車軸１９を固着して、車輪１８を枢着している。
【００２２】
畝立器２０は、図7と図8に示す如く、板金製の土寄せ板２５は平面視で左右中央の正面部２５ａが後下方へ下り傾斜し、その正面部２５ａから左右側方で且つ後方へ土寄せ傾斜部２５ｂが拡がった形状とし、土寄せ傾斜部２５ｂの上左右端部を緩やかな角度で前側に向けて曲げ（屈曲線Ｋ１）て左右上端部２５ｃを形成する。板金製の土寄せ板２５の土寄せ傾斜部２５ｂ及び左右上端部２５ｃの裏面に沿って、ゴム板からなる土押え板２６をリベット２７で取り付ける。正面部２５ａと左右上端部２５ｃの上端縁は前に向けて折り曲げて補強縁２５ｄを形成している。また、と土寄せ傾斜部２５ｂの上端縁は左右外側に向かって折り曲げて補強縁２５ｄを形成している。また、土寄せ板２５の正面部２５ａの下端には後方へ張り出す溝底均し部２５ｅを張り出して形成し、この溝底均し部２５ｅで畝溝の底を押えるようにしている。
【００２３】
図５と図６に示す如く、畝立器２０の畝立器取付アーム２１は、ヒッチ９を左右から挟み込むように帯状の板体２１ａ，２１ｂで構成され、左右の板体２１ａ，２１ｂに長穴２２と係止穴３０を形成し、長穴２２と前記ヒッチ９の係止穴９ａ３を貫通する連結ピン３１で畝立器２０がヒッチ９と連結される。
【００２４】
そして、図４の如く、畝立器２０を降下してヒッチ９の係止穴９ａ２と畝立器取付アーム２１の係止穴３０をＵ字状ピン２３で連結することで畝立作業状態になる。
また、Ｕ字状ピン２３を係止穴３０から引き抜いて畝立器２０を上方へ回転して長穴２２に沿って下方へスライドして、板体２１ａ，２１ｂの外側を係止ピン９ａ１に当て、Ｕ字状ピン２３を長穴２２の下部に挿入すると、畝立器２０が図３の上昇位置に保持される。Ｕ字状ピン２３はバネで差し込み方向に弾発しているので、Ｕ字状ピン２３を指先で引掛けながら畝立器２０を回転させてスライドさせる操作が片手で容易にできる。
【００２５】
耕耘作業時は図１０の如くである。すなわち、前記ヒッチ９の支持パイプ１１に車輪取付け部１６ｂを下から差し込んで、調整穴９ｂ１，９ｂ２のどちらかと取付穴１６ｂ１を貫通して係止ピン（図示せず）を差し込んで固定することで抵抗棒部１６ｂが耕耘爪５から離れた後方で地面に差し込んで、耕耘作業状態となる。すると、耕耘爪５で前進するのを地面に差し込まれた抵抗棒部１６ａが抵抗棒として作用し、耕耘作業を安定して行えるようになる。この時、畝立器２０は、前述の上昇位置に保持された状態の非作業位置にある。
【００２６】
移動作業時は図１１の如くである。すなわち、ヒッチ９の支持パイプ１１に抵抗棒部１６ａを下から差し込んで、調整穴９ｂ１，９ｂ２のどちらかと取付穴１６ａ１を貫通して前記係止ピン（図示せず）を差し込んで固定することで車軸１９が支持パイプ１１の下方よりも耕耘爪５に接近した位置で車輪１８が地面に接地する。すると、軽くグリップ部１４ａを押し下げると耕耘爪５が浮き上がって軽く押しながら移動できる。
【００２７】
畝立作業時は図１２の如くである。すなわち、畝立器２０を降下作業位置に固定し、車輪取付け部１６ｂを前記ヒッチ９の支持パイプ１１に差し込んで、調整穴９ｂ１，９ｂ２のどちらかと取付穴１６ｂ１を貫通して係止ピンを差し込んで固定することで、抵抗棒部１６ａの先端が地面から浮き上がって畝立器２０の後面上部に車輪１８が接近した状態で接地し、畝立作業が行えるようになる。
【００２８】
次に畝立器２０の畝立て作用について説明する。
畝立器２０は、耕耘爪５の後方を追従しながら耕起した土を左右に振り分けて畝溝を形成するもので、左右に土を盛り上げた畝が形成される。本実施の形態の畝は、一回の直進走行で畝の一側面を形成し、旋回走行することにより畝の他側面を形成するいわゆる外盛式の畝立て作業である。
【００２９】
耕耘爪５で耕起した土を金属製土寄せ板２５の正面部２５ａで押しながら畝溝Ｕ２を形成し、土寄せ側面部２５ｂで土を左右側方へ押し、土寄せ側面部２５ｂの裏面に沿って貼り付け、左右外側に張り出すゴム板製の土押え板２６で土を畝の側面Ｕ１に押し付けて、畝溝Ｕ２と畝側面Ｕ１がきれいに形成される。また、畝の側面Ｕ１（傾斜面）上部は金属製の左右上端部２５ｃに沿う部分の土押え板２６で良好に形成される。というのも、土押え板２６の上端部が、左右上端部２５ｃに沿って緩やかに前側に向かって屈曲（屈曲線Ｋ２）するため、その分、畝傾斜面上部に押圧作用が加わるためである。
【００３０】
耕耘爪５が耕起した土を押す土寄せ板２５の正面部２５ａと土寄せ側面部２５ｂと左右上端部２５ｃが補強縁２５ｄで強固に出来る。また、土寄せ板２５の正面部２５ａと土寄せ側面部２５ｂの上端を乗り越えるようとする土が補強縁２５ｄで阻止されて畝溝に土が落ち込まずにきれいな畝が形成される。
【００３１】
また、土寄せ板２５の正面部２５ａの裏面は平面に形成されているため、畝立器取付アーム２１の取付け（溶接等）が容易になる。
また、土寄せ板２５の正面部２５ａで形成される畝溝の底面が溝底均し部２５ｅで押されてきれいになる。
【符号の説明】
【００３２】
耕耘爪５
作業軸６
ヒッチ９
畝立器支持部９ａ
抵抗棒支持部９ｂ
抵抗棒１６
車輪１８
畝立器２０
【図１】
2014143978.tif 000003
【図２】
2014143978.tif 000004
【図３】
2014143978.tif 000005
【図４】
2014143978.tif 000006
【図５】
2014143978.tif 000007
【図６】
2014143978.tif 000008
【図７】
2014143978.tif 000009
【図８】
2014143978.tif 000010
【図９】
2014143978.tif 000011
【図１０】
2014143978.tif 000012
【図１１】
2014143978.tif 000013
【図１２】
2014143978.tif 000014